(57)【要約】【課題】壁際などに溜まった塵埃を効率良く吸引することができると共に、通常の使用状態においても塵埃を効率良く吸引することができる床用吸込具を提供することを課題とする。【解決手段】吸込具本体ケース２と、吸込具本体ケース２下面から前面の少なくとも一部まで開口された吸込口３と、吸込具本体ケース２前面の吸込口３を閉塞する前壁を構成すると共に、吸込具本体ケース２前面が壁面Ｗ等に当接することにより上方に回動して吸込具本体ケース２前面の吸込口３を開放する上下方向に回動自在なカバー４と、吸込口３に臨んで回転自在に枢支された回転ブラシ６と、吸込口３を介して吸気流路１８を通過する吸気を取り入れることにより回転する風車１９と、風車１９の回転力を回転ブラシ６に伝達する駆動伝達手段７とを備え、風車１９の回転方向を切換えるように風車１９に取り入れる吸気の位置を切換える切換手段を設ける。【選択図】        図１
2005185413.tif 000002
【特許請求の範囲】
【請求項１】
吸込具本体ケースと、吸込具本体ケース下面から前面の少なくとも一部まで開口された吸込口と、吸込具本体ケース前面の吸込口を閉塞する前壁を構成すると共に、吸込具本体ケース前面が壁面等に当接することにより上方に回動して吸込具本体ケース前面の吸込口を開放する上下方向に回動自在なカバーと、吸込口に臨んで回転自在に枢支された回転ブラシと、吸込口を介して吸気流路を通過する吸気を取り入れることにより回転する風車と、風車の回転力を回転ブラシに伝達する駆動伝達手段とを備え、風車の回転方向を切換えるように風車に取り入れる吸気の位置を切換える切換手段を設けたことを特徴とする床用吸込具。
【請求項２】
前記風車は、回転ブラシを一方向に回転させるための第１風車と、回転ブラシを他方向に回転させるための第２風車とから構成され、風車に取り入れる吸気は、切換手段により第１風車または第２風車の何れか一方に流れるように構成されていることを特徴とする請求項１記載の床用吸込具。
【請求項３】
前記切換手段は、カバーの回動に連動して作動するように構成されていることを特徴とする請求項１または請求項２記載の床用吸込具。
【請求項４】
前記切換手段は、並列に配置された前記第１風車と第２風車との間を摺動自在に配置されると共に、カバーの回動に連動して摺動するように構成されていることを特徴とする請求項１乃至請求項３の何れか１項に記載の床用吸込具。
【請求項５】
前記カバーが上方に回動した時には、切換手段により風車に取り入れられた吸気は回転ブラシを正回転させように作用すると共に、カバーが下方に回動した時には、切換手段により風車に取り入れられた吸気は回転ブラシを逆回転させように作用するように構成されていることを特徴とする請求項１乃至請求項３の何れか１項に記載の床用吸込具。
【発明の詳細な説明】
【技術分野】
【０００１】
本発明は、電気掃除機の床用吸込具に係わり、特に壁際などに溜まった塵埃を吸い込むことができる床用吸込具に関する。
【背景技術】
【０００２】
壁際などの掃除が可能な床用吸込具として、本願出願人は特願２００３−１０３４２号において提案している。この床用吸込具は、専用のモータにより一方向に回転する回転ブラシを有すると共に、吸込口が吸込具本体ケースの下面から前面の少なくとも一部まで開口され、吸込具本体ケースの前壁を構成するカバーが吸込具本体ケースに上下方向に回動自在に取り付けられている。そして、カバーが壁面等に当接するとカバーが上方に回動して壁面と回転ブラシとが近接するため、壁際などに溜まった塵埃を吸い込むことができるように構成されている（例えば、特許文献１参照）。
【特許文献１】特願２００３−１０３４２号
【発明の開示】
【発明が解決しようとする課題】
【０００３】
この回転ブラシは、通常の使用状態で絨毯等の塵埃を効率良く掻き出して吸引するために逆回転するようになっている。しかしながら、壁際を掃除する時には、カバーが上方に回動することにより回転ブラシが壁際に近接しているにもかかわらず、壁際の塵埃を壁に向かって掻き出す方向に回転ブラシが回転するため、壁際の塵埃を効率良く吸引することができなくなってしまう欠点があった。
【０００４】
また、この欠点を解消するために、回転ブラシを専用のモータにより正回転するように構成すれば、壁際の塵埃は効率良く吸引することはできるが、通常の使用状態では絨毯等の塵埃を効率良く掻き出すことはできないため、通常の使用状態での集塵効率が低下してしまう。
【０００５】
本発明は、このような課題を解決するためになされたものであり、壁際などに溜まった塵埃を効率良く吸引することができると共に、通常の使用状態においても塵埃を効率良く吸引することができる床用吸込具を提供することを課題とする。
【課題を解決するための手段】
【０００６】
上記課題を解決するための第１の手段は、吸込具本体ケースと、吸込具本体ケース下面から前面の少なくとも一部まで開口された吸込口と、吸込具本体ケース前面の吸込口を閉塞する前壁を構成すると共に、吸込具本体ケース前面が壁面等に当接することにより上方に回動して吸込具本体ケース前面の吸込口を開放する上下方向に回動自在なカバーと、吸込口に臨んで回転自在に枢支された回転ブラシと、吸込口を介して吸気流路を通過する吸気を取り入れることにより回転する風車と、風車の回転力を回転ブラシに伝達する駆動伝達手段とを備え、風車の回転方向を切換えるように風車に取り入れる吸気の位置を切換える切換手段を設けたことを特徴とする。
【０００７】
上記課題を解決するための第１の手段において、前記風車は、回転ブラシを一方向に回転させるための第１風車と、回転ブラシを他方向に回転させるための第２風車とから構成され、風車に取り入れる吸気は、切換手段により第１風車または第２風車の何れか一方に流れるように構成されてもよい。
【０００８】
また、前記切換手段は、カバーの回動に連動して作動するように構成されてもよい。
【０００９】
また、前記切換手段は、並列に配置された前記第１風車と第２風車との間を摺動自在に配置されると共に、カバーの回動に連動して摺動するように構成されてもよい。
【００１０】
また、前記カバーが上方に回動した時には、切換手段により風車に取り入れられた吸気は回転ブラシを正回転させように作用すると共に、カバーが下方に回動した時には、切換手段により風車に取り入れられた吸気は回転ブラシを逆回転させように作用するように構成されてもよい。
【発明の効果】
【００１１】
本発明の請求項１の構成によれば、切換手段により回転ブラシの回転方向を切換えることができ、壁際などに溜まった塵埃を効率良く吸引することができると共に、通常の使用状態においても塵埃を効率良く吸引することができる等の効果を奏する。
【００１２】
本発明の請求項２の構成によれば、二種類の風車により回転ブラシの回転方向を切換えることができ、切換手段により壁際などに溜まった塵埃を効率良く吸引することができると共に、通常の使用状態においても塵埃を効率良く吸引することができる等の効果を奏する。
【００１３】
本発明の請求項３の構成によれば、カバーの回動に連動して回転ブラシの回転方向を切換えることができ、使い勝手を向上させることができる等の効果を奏する。
【００１４】
本発明の請求項４の構成によれば、簡単な構成によりカバーの回動に連動して回転ブラシの回転方向を切換えることができ、使い勝手を向上させることができる。また、切換手段により壁際などに溜まった塵埃を効率良く吸引することができると共に、通常の使用状態においても塵埃を効率良く吸引することができる等の効果を奏する。
【００１５】
本発明の請求項５の構成によれば、カバーの回動に連動して回転ブラシの回転方向を切換えることができ、使い勝手を向上させることができる。また、切換手段により壁際などに溜まった塵埃を効率良く吸引することができると共に、通常の使用状態においても塵埃を効率良く吸引することができる等の効果を奏する。
【発明を実施するための最良の形態】
【００１６】
（第１実施形態）
本発明に係る床用吸込具及び掃除機本体の第１実施形態を図１乃至図１３に基づいて説明する。
【００１７】
第１実施形態の床用吸込具１は、上ケース２ａと下ケース２ｂからなって下面から前面にかけて広範囲に開口された吸込口３が形成された横長の吸込具本体ケース２と、吸込具本体ケース２の前壁を構成すると共に、吸込口３の前側部分を開閉するカバー４と、吸込具本体ケース２内の長手方向両端に軸受部５を介して回転自在に支持された回転ブラシ６と、駆動伝達手段７を介して回転ブラシ６を回転させる駆動軸８と、吸込具本体ケース２の後面側に上下左右方向に回動自在に取付けられ、吸込口３に連通するベンド９とから構成されている（図１乃至図４参照）。そして、ベンド９が図示しない延長管やホースを介して掃除機本体１０に接続されるようになっている。
【００１８】
カバー４は、断面形状が略くの字状をしており、その上部側が円弧状に形成されている。
略くの字状の前側突出部に両端が図示しない軸受部によって回動自在且つ水平方向に支持されたローラ１１が取り付けられている。カバー４は、両端に形成された図示しないアー
ム部が水平方向に支持されることにより、上下方向に回動自在に支持されている。ローラ１１は、回動軸１２を有するローラ芯体１３外周面が、柔らかくて滑りやすい当接部材として、繊維質部材である起毛布１４によって覆われて形成されている（図３及び図４参照）。
【００１９】
カバー４の最前部にあるローラ１１が壁面Ｗ等に押し当てられた時には、ローラ１１が反時計方向に回転しながらカバー４が上方に回動する。従って、カバー４に設けられたローラ１１が吸込具本体ケース２の前側のバンパーとして機能している。カバー４は、ローラ１１が壁面Ｗ等に当接してカバー４が上方に回動する時、吸込具本体ケース２に形成されたカバー収納部１５内にカバー４が収納される方向に回動するように構成されている（図４参照）。また、カバー４には、カバー４を下方へ回動する方向へ付勢する図示しない捻りバネ等の付勢手段が装着されている。
【００２０】
吸込具本体ケース２の吸込口３に回動自在に支持された回転ブラシ６は、回転ブラシ芯体１６の外周面にブラシ体１７が等分間隔で長手方向に複数本装着されている。（図３及び図４参照）。また、回転ブラシ６は駆動軸８の回転力が、回転ブラシ６の一側に配設された駆動伝達手段７を介して伝達されることにより回転駆動するようになっている（図１及び図２参照）。この回転ブラシ６が回転することで被掃除面のごみが掻き取られ、吸込口３から効果的に吸込まれることにより効率よく掃除できる。
【００２１】
駆動軸８は回転ブラシ６と略平行な状態で回転自在に支持されている。吸込口３とベンド９とを連通する吸気流路１８に臨む位置の駆動軸８には、吸気流路１８を流れる吸気により回転する風車１９が設けられている。風車１９は、駆動伝達手段７を介して回転ブラシを逆回転方向に回転させるための第１風車２０と、駆動伝達手段７を介して回転ブラシを正回転方向に回転させるための第２風車２１とから構成されている。第１風車２０と第２風車２１は回転ブラシ６の軸方向に並設され、第２風車２１の方が第１風車２０よりも駆動伝達手段７側に位置している。
【００２２】
風車１９と吸込口３との間には吸気流路１８を流れる吸気を遮断する遮蔽板２２が配設されている。遮蔽板２２は回転ブラシ６の軸方向に摺動自在に構成されていると共に、バネ等の付勢手段２３により駆動伝達手段７と対向する方向に付勢されている。付勢手段２３により一方向に付勢されている遮蔽板２２の、第１風車２０に対応する位置には開口部２４が形成されている。カバー４の最前部にあるローラ１１が壁面Ｗ等に押し当てられ、ローラ１１が反時計方向に回転しながらカバー４が上方に回動すると、カバー４の上方への回動に連動して図示しない切換レバーが遮蔽板２２に当接する。切換レバーが遮蔽板２２に当接することにより付勢手段２３の付勢力に抗して遮蔽板２２を駆動伝達手段７側に移動させ、図２に示すように遮蔽板２２の開口部２４は第２風車に対応する位置に移動する。また、カバー４が壁面Ｗから離れると、カバー４の付勢手段による下方回動に伴い図示しない切換レバーも遮蔽板２２から離れるため、遮蔽板２２は付勢手段２３の付勢力により移動し図１に示すように遮蔽板２２の開口部２４が第１風車に対応する位置まで戻る。
【００２３】
このように構成された床用吸込具１は、絨毯等の床面を掃除する場合には、カバー４は付勢手段により下方回動位置に位置しているので、図示しない切換レバーは遮蔽板２２に当接することはない。従って、遮蔽板２２の開口部２４は第１風車２０に対応する位置に付勢手段２３により保持される。この結果、第１風車２０に吸気が流れることにより駆動伝達手段７を介して回転ブラシ６を逆回転方向に回転させることができるため、絨毯等の塵埃を効率良く掻き出して吸引することができ、集塵効率を向上させることができる。ここでいう回転ブラシ６の逆回転方向とは、床用吸込具１の進行方向（図３の左側）への移動に対して抵抗になる方向のことをいう。
【００２４】
また、壁際を掃除する場合には、壁面Ｗに吸込具本体ケース２の前面を押し当てる。それにより、まず、カバー４に取り付けられたローラ１１が壁面Ｗに当接して反時計方向に回転しながらカバー４が上方に持ち上げられる。そして、カバー４の上方への回動に伴い図示しない切換レバーが遮蔽板２２に当接すると共に、遮蔽板２２を、遮蔽板２２の開口部２４が第２風車２１に対応する位置まで移動させる。この結果、第２風車２１に吸気が流れることにより駆動伝達手段７を介して回転ブラシ６を正回転方向に回転させることができるため、壁際の塵埃を効率よく掻き集めて吸引することができ、集塵効率を向上させることができる。ここでいう回転ブラシ６の正回転方向とは、床用吸込具１の進行方向（図４の左側）への移動に対して抵抗にならない方向のことをいう。また、カバー４の回動に連動して回転ブラシ６の回転方向を切換えることができるため、特に操作する必要がなく使い勝手を向上させることができる。
【００２５】
尚、第１実施形態の床用吸込具１では、二種類の風車を設けることにより、回転ブラシ６の回転方向を切換えたがこの構成に限定されるものではない。例えば、一種類の風車の回転中心に対して一方向あるいは他方向の何れかの方向に選択的に吸気を流す構成とすることにより回転ブラシ６の回転方向を切換える構成にしてもよい。
【００２６】
また、遮蔽板２２の移動手段は図示しない切換レバーに限定されるものではない。例えば、カバー４の回動位置に基づいて作動する専用のモータにより移動させてもよい。
【００２７】
掃除機本体１０には、電源コード２５を束ねて収納するコードリール２６が収納されているが、このコードリール２６は束ねた電源コード２５からの発熱により温度が上昇するため、電動送風機２７を通過した排気の一部をコードリール２６に供給してコードリール２６を冷却する必要があった。しかしながら、コードリール２６近傍には電源コード２５を掃除機本体１０外に引き出すためのコード口２８が形成されているため、このコード口２８からコードリール２６を冷却する排気が排気されていた。コード口２８の開口面積は一般的に狭く形成されており排気風が勢いよく排出されるため、使用者を不快な気分にさせる虞があった。
【００２８】
これに対して、第１実施形態の掃除機本体１０は、掃除機本体１０使用中のコード口２８は閉じる構成にしている。コード口２８には緩衝体２９を介してコード口押え部材３０が、コード口２８を垂直方向に開閉自在に配設されている。コード口押え部材３０はバネ３１によりコード口２８を開放する方向に付勢されている。コード口押え部材３０のコード口２８と対向する一端は、電動送風機２７からの排気の一部が流入する排気導入路３２内に配設されている（図５及び図６参照）。
【００２９】
このように構成されている第１実施形態の掃除機本体１０は、掃除機本体１０を使用していない時は、コード口２８はバネ３１の付勢力により開放されている（図５及び図６参照）。この時電動送風機２７は停止しているため、コード口２８から排気風が排気されることはない。
【００３０】
掃除機本体１０を使用すると、電動送風機２７を通過した排気の一部が排気導入路３２内に流入し、排気導入路３２内の圧力が上昇するためバネ３１の付勢力に抗してコード口押え部材３０はコード口２８を閉塞させる方向に移動する（図７及び図８参照）。この結果、コード口２８は緩衝体２９を介して閉塞されるため、コード口２８から排気されることはなく、使用者を不快な気分にさせる虞はない。また、コード口２８は緩衝体２９を介して閉塞されるため、コード口２８の閉塞性が向上すると共に、掃除機本体１０から取り出された電源コード２５がコードリール２６の幅方向に対してどの位置にあっても、コード口２８の気密性を向上させることができる（図７参照）。
【００３１】
また、第１実施形態の掃除機本体１０の後面には、電動送風機２７からの排気を掃除機本体１０外に排気するための排気口３３が形成されている。さらに、排気口３３の周縁にはジャバラ状に折り曲げられたバネ性を有する排気ガイド３４が装着されている（図１０及び図１１参照）。
【００３２】
このように構成された排気口３３は、掃除機本体１０を使用していない時は、図１０に示すようにジャバラ状の排気ガイド３４は閉じている。掃除機本体１０を使用すると排気口３３からの排気風により排気ガイド３４は図１１に示すように開く。この結果、排気ガイド３４により排気面積を増大させて排気風速を減少させることができると共に、排気ガイド３４により排気口３３を覆って遮音効果を増大させることができるため、排気音の低騒音化を図ることができる。また、掃除機本体１０の使用を停止させると、排気ガイド３４は図１０に示すように排気ガイド３４自身が有するバネ性により閉じるため、排気ガイド３４が邪魔になることはない。
【００３３】
図１２及び図１３は第１実施形態の変形例を示している。図１２及び図１３は電動送風機２７からの排気の圧力により水平方向に移動するコード口押え部材３０によりコード口２８を開閉自在に閉塞する構成になっている。この構成においても、垂直方向の場合と同様な作用効果を奏する。また、コード口押え部材３０の移動する方向に関しては特に限定されるものではなく、任意の方向に向けて移動させてもよい。
【００３４】
（第２実施形態）
図１４乃至図１８は本発明の第２実施形態の掃除機本体１０示している。尚、第１実施形態と同一部品については同一符号を付して説明を省略する。
【００３５】
第２実施形態の掃除機本体１０も、第１実施形態と同様に掃除機本体１０使用中のコード口２８は閉じる構成にしている。コード口２８はシャッタ３５により開閉自在に構成されている。
シャッタ３５は支点３９を回動中心として回動自在に支持されている。シャッタ３５のコード口２８側は他端側より重くなるように形成されている。また、シャッタ３５のコード口２８側には電源コード２５が挿通するように半円状の切欠部３６が形成されている。シャッタ３５の切欠部３６の下方位置にはシャッタ３５を支持するシャッタ支持部３７が形成されている。シャッタ支持部３７の略中央は電源コード２５がこの位置を通るようにするために凹設されている。シャッタ３５の他端側はコードリール２６を巻き取るためのリールボタン３８に当接している図１４乃至図１６参照）。
【００３６】
このように構成されている第２実施形態の掃除機本体１０は、リールボタン３８が押されていない状態では、シャッタ３５は自重によりコード口２８を閉塞する方向に回動するため、コード口２８は閉塞される（図１４及び図１５参照）。従って、この状態で電動送風機２７を動作させてもコード口２８から排気が出ることはない。また、この状態で電源コード２５を引き出すとシャッタ３５が支点３９を回動中心としてコード口２８を開放する方向に容易に回動するため、電源コード２５の引き出し作業性に支障が生じることはない。
【００３７】
また、電源コード２５をコードリール２６に巻き取るためにリールボタン３８を押すと、リールボタン３８に押されてシャッタ３５は支点３９を回動中心としてコード口２８を開放する方向に回動すると共に、コードリール２６は電源コード２５を巻き取る方向に回転する（図１６参照）。従って電源コード２５の巻き取り作業性を向上させることができる。この時、コード口２８は開放されるが、電源コード２５は図示しないコンセントから外されており電動送風機２７が動作する虞がないため不都合が生じることはない。
【００３８】
また、第２実施形態の掃除機本体１０の両側面には、電動送風機２７からの排気を掃除機本体１０外に排気するための排気口３３ａが形成されている（図１７参照）。さらに、両排気口３３ａの後方を覆うようにジャバラ状に折り曲げられたバネ性を有する排気ガイド３４ａが装着されている（図１８参照）。
【００３９】
このように構成された排気口３３ａは、掃除機本体１０を使用していない時は、図１７に示すようにジャバラ状の排気ガイド３４ａは閉じている。掃除機本体１０を使用すると排気口３３ａからの排気風により排気ガイド３４ａは図１８に示すように排気口３３ａの後方を開く。この結果、排気ガイド３４ａにより排気面積を増大させて排気風速を減少させることができると共に、排気ガイド３４ａにより排気口３３ａを覆って遮音効果を増大させることができるため、排気音の低騒音化を図ることができる。また、掃除機本体１０の使用を停止させると、排気ガイド３４ａは図１７に示すように排気ガイド３４ａ自身が有するバネ性により閉じるため、使用していない時に排気ガイド３４ａが邪魔になることはない。さらに、掃除中に掃除機本体１０の側面が障害物に当接した際には、排気ガイド３４ａは閉じるので、掃除中にも排気ガイド３４ａが邪魔になることはない。
【００４０】
（第３実施形態）
図１９乃至図２３は本発明の第３実施形態の掃除機本体１０示している。尚、第１実施形態及び第２実施形態と同一部品については同一符号を付して説明を省略する。
【００４１】
第３実施形態の掃除機本体１０も、第１実施形態及び第２実施形態と同様に掃除機本体１０使用中のコード口２８は閉じる構成にしている。コード口２８はモータ４０により回動するシャッタ３５ａによって開閉自在に構成されている（図１９乃至図２１参照）。
【００４２】
このように構成されている第３実施形態の掃除機本体１０は、電動送風機２７が作動している時には、モータ４０はシャッタ３５ａをコード口２８を閉塞する方向に回動させる（図２０参照）。従って、この状態でコード口２８から排気が出ることはない。また、電動送風機２７が停止すると、モータ４０はシャッタ３５をコード口２８を開放する方向に回動させる（図２１参照）。
従って、この状態で電源コード２５の巻き取り作業に支障が生じることはない。
【００４３】
また、第３実施形態の掃除機本体１０の上面には、電動送風機２７からの排気を掃除機本体１０外に排気するための排気口３３ｂが形成されている（図２２参照）。さらに、排気口３３ｂを上方に向かって覆うようにジャバラ状に折り曲げられた排気ガイド３４ｂが装着されている（図２３参照）。
【００４４】
このように構成された排気口３３は、掃除機本体１０を使用していない時は、図２２に示すようにジャバラ状の排気ガイド３４ｂは閉じている。掃除機本体１０を使用すると排気口３３ｂからの排気風により排気ガイド３４ｂは図２３に示すように排気口３３ｂの上方を覆う。この結果、排気ガイド３４により排気面積を増大させて排気風速を減少させることができると共に、排気ガイド３４により排気口３３を覆って遮音効果を増大させることができるため、排気音の低騒音化を図ることができる。また、掃除機本体１０の使用を停止させると、排気ガイド３４は図２２に示すように排気ガイド３４ｂの自身により閉じるため、使用していない時に排気ガイド３４ｂが邪魔になることはない。
【００４５】
（第４実施形態）
図２４及び図２５は本発明の第４実施形態の掃除機本体１０示している。尚、第１実施形態乃至第３実施形態と同一部品については同一符号を付して説明を省略する。第１実施形態乃至第３実施形態ではコード口２８を閉塞することにより、コード口２８からの排気
の流出を防止したが、第４実施形態ではコード口２８は開放された状態でコード口２８からの排気の流出を防止している。
【００４６】
電動送風機２７を通過した排気は、掃除機本体１０内を循環し、コードリールを通過する際コードリールを冷却すると共に、コード口２８に略直行する方向に流れる（図２４及び図２５参照）。従って、コード口２８は掃除機本体１０内を循環する排気により遮蔽されるため、コード口２８から排気が出ることが抑制される。
【００４７】
尚、第４実施形態において、循環する外側の排気の流速を特に速くする構成にしてもよい。この構成によりより確実にコード口２８からの排気の流出を防止することができる。
【図面の簡単な説明】
【００４８】
【図１】本発明の第１実施形態の床用吸込具の裏面図で、回転ブラシが逆回転する構成を示す。
【図２】同床用吸込具の裏面図で、回転ブラシが正回転する構成を示す。
【図３】同床用吸込具の側断面図で、回転ブラシが逆回転する状態を示す。
【図４】同床用吸込具の側断面図で、回転ブラシが正回転する状態を示す。
【図５】同掃除機本体の側断面図で、コード口とコード口押え部材との関係を示す。
【図６】同掃除機本体を別の方向から見た側断面図で、コード口とコード口押え部材との関係を示す。
【図７】同掃除機本体の側断面図で、コード口押え部材がコード口を閉塞している状態を示す。
【図８】同掃除機本体を別の方向から見た側断面図で、コード口押え部材がコード口を閉塞している状態を示す。
【図９】同掃除機本体の後面図である。
【図１０】同掃除機本体の側断面図で、排気口と排気ダクトとの関係を示す。
【図１１】同掃除機本体の側断面図で、排気ダクトが開いている状態を示す。
【図１２】同掃除機本体の変形例の側断面図で、コード口とコード口押え部材との関係を示す。
【図１３】同掃除機本体の変形例の側断面図で、コード口押え部材がコード口を閉塞している状態を示す。
【図１４】本発明の第２実施形態の掃除機本体の後面図で、シャッタがコード口を閉塞している状態を示す。
【図１５】同掃除機本体の側断面図で、シャッタがコード口を閉塞している状態を示す。
【図１６】同掃除機本体の側断面図で、コード口とシャッタとの関係を示す。
【図１７】同掃除機本体の上面図で、排気口と排気ダクトとの関係を示す。
【図１８】同掃除機本体の上面図で、排気ダクトが開いている状態を示す。
【図１９】本発明の第３実施形態の掃除機本体の側断面図で、シャッタがコード口を閉塞している状態を示す。
【図２０】同シャッタとモータとの関係を示す平面図である。
【図２１】同掃除機本体の側断面図で、コード口とシャッタとの関係を示す。
【図２２】同掃除機本体の側断面図で、排気口と排気ダクトとの関係を示す。
【図２３】同掃除機本体の側断面図で、排気ダクトが開いている状態を示す。
【図２４】本発明の第４実施形態の掃除機本体の側断面図で、排気が掃除機本体内を循環する状態を示す。
【図２５】同別の方向から見た掃除機本体の側断面図で、排気が掃除機本体内を循環する状態を示す。
【符号の説明】
【００４９】
１    床用吸込具
２    吸込具本体ケース
２ａ  上ケース
２ｂ  下ケース
３    吸込口
４    カバー
６    回転ブラシ
７    駆動伝達手段
８    駆動軸
１９  風車
２０  第１風車
２１  第２風車
【図１】
2005185413.tif 000003
【図２】
2005185413.tif 000004
【図３】
2005185413.tif 000005
【図４】
2005185413.tif 000006
【図５】
2005185413.tif 000007
【図６】
2005185413.tif 000008
【図７】
2005185413.tif 000009
【図８】
2005185413.tif 000010
【図９】
2005185413.tif 000011
【図１０】
2005185413.tif 000012
【図１１】
2005185413.tif 000013
【図１２】
2005185413.tif 000014
【図１３】
2005185413.tif 000015
【図１４】
2005185413.tif 000016
【図１５】
2005185413.tif 000017
【図１６】
2005185413.tif 000018
【図１７】
2005185413.tif 000019
【図１８】
2005185413.tif 000020
【図１９】
2005185413.tif 000021
【図２０】
2005185413.tif 000022
【図２１】
2005185413.tif 000023
【図２２】
2005185413.tif 000024
【図２３】
2005185413.tif 000025
【図２４】
2005185413.tif 000026
【図２５】
2005185413.tif 000027